(57)【要約】【課題】防犯性を考慮しつつ化粧リングの出寸法を抑えること【解決手段】所定長の固定筒と、該固定筒に外嵌合する化粧リングと、該化粧リングの内部に入り込むことができる外径寸法に形成されかつ固定筒の先端部に螺合するリング状の飾り筒と、この飾り筒の内端面と化粧リングの環状後端部との間に内装されかつ該化粧リングのフランジ状先端部を開閉体の内壁面に密着状態に圧接させる圧縮コイルバネと、固定筒内の支持壁に回動自在に支持されると共に該固定筒の先端部に形成された先端凹所内に摘み部が収納されかつ該摘み部と一体のサムターン軸を有する操作部材とから成るサムターン装置。【選択図】図１
2011149225.tif 000002
【特許請求の範囲】
【請求項１】
所定長の固定筒と、該固定筒に外嵌合する化粧リングと、該化粧リングの内部に入り込むことができる外径寸法に形成されかつ前記固定筒の先端部に螺合するリング状の飾り筒と、この飾り筒の内端面と前記化粧リングの環状後端部との間に内装されかつ該化粧リングのフランジ状先端部を開閉体の内壁面に密着状態に圧接させる圧縮コイルバネと、前記固定筒内の支持壁に回動自在に支持されると共に該固定筒の先端部に形成された先端凹所内に摘み部が収納されかつ該摘み部と一体のサムターン軸を有する操作部材とから成るサムターン装置。
【発明の詳細な説明】
【技術分野】
【０００１】
本発明は、建具用のサムターン装置に関する。
【背景技術】
【０００２】
特許文献１乃至特許文献３は、出願人が貴庁に全て提案したものである。特許文献１と特許文献２には、本願発明の前提となるサムターン装置の幾つかの構成部材、例えば固定筒或いは化粧リング、操作部材等が記載されているものの、これらの特許文献の主たる目的は、不正な解錠を防止することであって、「化粧リングの出寸法を抑えること等」を目的としていない。そこで、現在、防犯性を考慮しつつ化粧リングの出寸法を抑えることができる建具用のサムターン装置の出現が要望されている。その場合、外観上の美観の向上も同時に図ることが要望されている。なお、特許文献３には、錠箱にサムターン装置を構成するベース（固定筒）を固定する構造の一例が記載されている。
【先行技術文献】
【特許文献】
【０００３】
【特許文献１】特開２００３−６４９１１号公報
【特許文献２】特開２００４−３３２３６１号公報
【特許文献３】特開２００４−３５３２７５号公報
【発明の開示】
【発明が解決しようとする課題】
【０００４】
本発明の所期の目的は、防犯性を考慮しつつ化粧リングの出寸法を抑えることである。第２の目的は、構成する部品点数を少なくすることである。第３の目的は、扉厚に対応して取付け可能なことである。第４の目的は、意匠上の美観性に考慮することである。
【課題を解決するための手段】
【０００５】
本発明のサムターン装置は、所定長の固定筒と、該固定筒に外嵌合する化粧リングと、該化粧リングの内部に入り込むことができる外径寸法に形成されかつ前記固定筒の先端部に螺合するリング状の飾り筒と、この飾り筒の内端面と前記化粧リングの環状後端部との間に内装されかつ該化粧リングのフランジ状先端部を開閉体の内壁面に密着状態に圧接させる圧縮コイルバネと、前記固定筒内の支持壁に回動自在に支持されると共に該固定筒の先端部に形成された先端凹所内に摘み部が収納されかつ該摘み部と一体のサムターン軸を有する操作部材とから成ることを特徴とする。
【発明の効果】
【０００６】
（ａ）防犯性を考慮しつつ化粧リングの出寸法を抑えることができる。ここで、「出寸法」とは、開閉体の内壁面からの突出量をいう。
（ｂ）構成する部品点数が少ないので、開閉体に簡単に取り付けることができる。
（ｃ）サムターン装置Ｘは、リング状の飾り筒７が化粧リング６の内部１１に入り込むことができる外径寸法に形成されかつ固定筒の先端部に螺合するので、例えば図１と図５を対比すると明らかなように、開閉体１の自由端部に組み込まれた錠箱２に固定筒４の後端部４ａが固定された場合、前記後端部４ａの取付け部位１４の貫通小孔１５を通る垂直線Ｌから前記開閉体の内壁面１ａまでの扉厚Ｌ１、Ｌ２が相違しても、圧縮コイルバネ８の収縮率範囲が変化するので、前記扉厚Ｌ１、Ｌ２に対応して取付け可能である。
（ｄ）飾り筒７、７Ａが、外観上、「幅狭（スマート）」に見えるので、意匠の美観の向上を図ることができる。
【発明を実施するための形態】
【０００７】
（１）主な構成部材
図１を参照にして、本発明の主な構成部材を説明する。１は引戸、扉等の開閉体、１ａは開閉体の内壁面、２は開閉体１の自由端部に組み込まれた錠箱、３は錠箱内に軸受けを介して回転自在に内装されたダルマ（駆動カム）、４は扉１の室内側の開口部５に水平状態に位置する所定長の固定筒、６は固定筒に外嵌合する化粧リング、７は固定筒の先端部に螺合するリング状の飾り筒、８は飾り筒を扉１の内部方向へ付勢する圧縮コイルバネ、９は固定筒に回動自在に支持された操作部材である。
【０００８】
（２）主要部
本発明のサムターン装置Ｘは、所定長の固定筒４と、該固定筒４に外嵌合する化粧リング６と、該化粧リング６の内部１１に入り込むことができる外径寸法に形成されかつ前記固定筒４の先端部に螺合するリング状の飾り筒７と、この飾り筒７の内端面７ａと前記化粧リング６の環状後端部６ａとの間にサンドイッチ状に内装されかつ該化粧リング６のフランジ状先端部６ｂを開閉体１の内壁面１ａに密着状態に圧接せる圧縮コイルバネ８と、前記固定筒４に回動自在に支持されると共に、室内側から環状に見える該固定筒４の先端部４ｂに形成された先端凹所１２内に摘み部９ｂが収納されかつ該摘み部９ｂと一体のサムターン軸９ａを有する操作部材９とから成る。
【０００９】
（３）主要部の具体的構成
まず、所定長の固定筒４の構成を説明する。例えば図３で示すように、固定筒４の後端部４ａの外周面には、複数個の取付け部１４，１４が半径外方向に突出形成されている。これらの取付け部１４，１４は、それぞれ貫通小孔１５，１５を有する。
【００１０】
図１で示すように、固定筒４は、図示しない複数本の串状バーを介して、前記貫通小孔１５，１５が錠箱２を通る垂直線Ｌに位置するように錠箱２に固定される。錠箱２に対する固定筒４の固定方法は周知事項なので（例えば特許文献３）、詳細な説明は割愛する。
固定筒４は、その後端部４ａから先端部４ｂまで横一連に形成され、該先端部４ｂは、図１及び図５で示すように開閉体１の内壁面１ａから多少突出する。
【００１１】
本実施例の固定筒４の先端部４ｂにはオネジ１６が形成され、該オネジ１６にはリング状の飾り筒７が取り外し自在に螺着する。図２で示すように、固定筒４の内部の先端部寄りの部位には不番の軸孔（支持孔）を有する垂直仕切り壁（支持壁）１７が設けられ、該垂直仕切り壁１７を基準として、前側が摘み部９ｂ用の先端凹所１２であり、一方、後側がサムターン軸９ａ用の後端凹所１８である。後端凹所１８は先端凹所１２よりも大きい。
【００１２】
次に、化粧リング６の構成を説明する。化粧リング６は、図１の縦断面を基準にすると、横向きハット型形状に形成されている。その周胴部６ｃは、開閉体１の開口部５に嵌合する大きさに形成され、該周胴部６ｃに連設する後端部は、半径内方向に周設された環状壁部分（ここでは「環状後端部６ａ」という）を有している。この環状後端部６ａは圧縮コイルバネ８の内端部を受ける機能を有する。
【００１３】
一方、周胴部６ｃに連設する先端部は半径外方向に周設されたフランジ部分（ここでは「フランジ状先端部６ｂ」という）を有している。このフランジ状先端部６ｂは圧縮コイルバネ８のバネ力により開閉体１の内壁面１ａに密着状態に圧接可能である。
【００１４】
次に、付勢手段としての圧縮コイルバネ８を説明する。圧縮コイルバネ８は、飾り筒７の内端面７ａと前記化粧リング６の環状後端部６ａとの間にサンドイッチ状に内装されている。図１と図５を対比すると明らかなように、固定筒４の先端部４ｂには飾り筒７が螺合するが、本実施例では、前記先端部４ｂに飾り筒７が螺合すると、固定筒４の先端面とリング状飾り筒５の外端面は同一の面一状に位置する。
【００１５】
付言すると、飾り筒７の前端部が固定筒４の先端部４ｂから食み出ることもないし、逆に前記先端部４ｂが飾り筒７の前端部から食み出ることもない。
【００１６】
そして、室内側から固定筒４と飾り筒７を見ると、前記固定筒の先端面はリング状飾り筒の外端面と同様に室内側から環状に見える（意匠上のスマートさ）。
また、圧縮コイルバネ８は、飾り筒７の内端面で受け止められるから、化粧リング６は開閉体１の内部方向へ付勢され、該化粧リング６のフランジ状先端部６ｂを開閉体１の内壁面１ａに密着状態に圧接させる。
【００１７】
最後に、操作部材９は、サムターン軸９ａと、該摘み部９ｂと一体のサムターン軸９ａとから成り、固定筒４の垂直仕切り壁１７に回動自在に支持されている。操作部材９は不番の抜け止めリングを介して直仕切り壁１７に設けられている。
【００１８】
しかして、本実施例では、防犯性の向上を図るために、操作部材９の前記摘み部９ｂは固定筒４の先端凹所１２内に位置するように常に収納されている。その他の錠前に関する詳細は周知事項なので、説明は割愛する。
【実施例】
【００１９】
発明の実施の形態で示した一実施例に於いて、操作部材９は、サムターン軸９ａと、該サムターン軸と一体の摘み部９ｂとから成るが、前記摘み部９ｂが固定筒４の先端部４ｂに形成された先端凹所１２内に収納され得る限り、その構造如何は問わない。また、化粧リング６や飾り筒７の形状、幅等は、任意に設計変更可能な事項である。なお、図６は一実施例と実質的に同一発明である他の実施例の説明図であり、該実施例が前記一実施例と異なる点は、飾り筒７Ａの外端面に固定筒４の先端部４ｂの一部又は全部をカバーする環状部分７ｂを連設形成したことである。このように外観の一部を、意匠的に設計変更しても、本発明の所期の目的（防犯性を考慮しつつ化粧リングの出寸法を抑えること）を達成することができる。なお、図６の実施例の説明に於いて、図１乃至図５を含む一実施例の説明をそのまま援用する。
【産業上の利用可能性】
【００２０】
本発明は、主に建具や錠前の業界で利用される。
【図面の簡単な説明】
【００２１】
図１乃至図５は本発明の一実施例を示す各説明図。図６は一実施例と実質的に同一発明である他の実施例の説明図。
【図１】環境部材と共に扉に取付けた状態の概略断面説明図。
【図２】図１を参照にした分解説明図。
【図３】主要部の分解斜視図。
【図４】開閉体の内壁面側に取付けた場合に於いて、室内側から見た斜視図。
【図５】扉厚が相違する場合に於いて、図１と同様の概略断面説明図。
【図６】一実施例と実質的に同一発明である他の実施例の説明図。
【符号の説明】
【００２２】
Ｘ…サムターン装置、Ｌ…垂直線、Ｌ１、Ｌ２…扉厚、1…開閉体、１ａ…内壁面、２…錠箱、３…ダルマ（駆動カム）、４…固定筒、４ａ…後端部、４ｂ…先端部、５…開口部、６…化粧リング、６ａ…環状後端部、６ｂ…フランジ状先端部、７、７Ａ…飾り筒、７ａ…内端面、８…圧縮コイルバネ、９…操作部材、９ａ…摘み部、９ｂ…サムターン軸、１１…内部、１２…先端凹所、１４…取付け部、１５…貫通小孔、１７…垂直仕切り壁（支持壁）。
【図１】
2011149225.tif 000003
【図２】
2011149225.tif 000004
【図３】
2011149225.tif 000005
【図４】
2011149225.tif 000006
【図５】
2011149225.tif 000007
【図６】
2011149225.tif 000008